(57)【要約】【課題】並べて使用される複数の梱包体に対して同一の防錆剤を使用することができる梱包材を提供する。【解決手段】複数並べて使用され、閉じられた空間が形成される梱包材１であって、空間内部には、被梱包部品を収容する上側収容部（部品収容部）４および下側収容部（部品収容部）５と、上側収容部４および下側収容部５と連通し防錆剤１２を収容可能な防錆剤収容部と、が形成され、複数並べられたときに隣り合う梱包材１の空間どうしを連通させる第１貫通孔（貫通孔）６および第２貫通孔（貫通孔）７が形成されている【選択図】図２
0003171033.tif 000002
【実用新案登録請求の範囲】
【請求項１】
複数並べて使用され、閉じられた空間が形成される梱包材であって、
前記空間内部には、被梱包部品を収容する部品収容部と、該部品収容部と連通し防錆剤を収容可能な防錆剤収容部と、が形成され、
複数並べられたときに隣り合う前記梱包材の前記空間どうしを連通させる貫通孔が形成されていることを特徴とする梱包材。
【請求項２】
前記防錆剤収容部は、前記部品収容部に収容された被梱包部品と離間する位置に形成されていることを特徴とする請求項１に記載の梱包材。
【請求項３】
前記防錆剤収容部は、前記貫通孔の軸と同一線上に形成されていることを特徴とする請求項１または２に記載の梱包材。
【請求項４】
前記空間内部には、複数の前記部品収容部が形成され、前記防錆剤収容部は、複数の前記部品収容部間に形成され、
複数並べられたときに隣り合う前記梱包材の前記防錆剤収容部どうしを連通させるように前記貫通孔が形成されていることを特徴とする請求項１乃至３のいずれか１項に記載の梱包材。
【考案の詳細な説明】
【技術分野】
【０００１】
本考案は、被梱包部品を梱包した状態で多段に段積み可能であるとともに、被梱包部品が錆びることを防止できる梱包材に関する。
【背景技術】
【０００２】
金属部品などの錆びやすい被梱包部品を梱包する際に、乾燥剤などの防錆剤とともに被梱包部品を梱包する梱包材が知られている（例えば、特許文献１参照）。
この梱包材は、防錆剤とともに被梱包部品を収容可能な内箱と、該内箱を覆う気密性を有するフィルムやシートなどを備えている。
【先行技術文献】
【特許文献】
【０００３】
【特許文献１】特開２００１−８８８９０号公報
【考案の概要】
【考案が解決しようとする課題】
【０００４】
特許文献１の梱包材では、被梱包部品を梱包材で梱包した状態の梱包体が多数ある場合、梱包体毎に防錆剤を封入するため、多数の防錆剤が必要となり、防錆剤の管理が煩雑となるという問題がある。また、防錆剤としてシリカゲルなどが使用されている場合、防錆剤と被梱包部品とが接触することで、被梱包部品が錆びてしまうことがある。
【０００５】
本考案は、上述する問題点に鑑みてなされたもので、並べて使用される複数の梱包体に対して同一の防錆剤を使用することができる梱包材を提供することを目的とする。
【課題を解決するための手段】
【０００６】
上記目的を達成するため、本考案に係る梱包材は、複数並べて使用され、閉じられた空間が形成される梱包材であって、前記空間内部には、被梱包部品を収容する部品収容部と、該部品収容部と連通し防錆剤を収容可能な防錆剤収容部と、が形成され、複数並べられたときに隣り合う前記梱包材の前記空間どうしを連通させる貫通孔が形成されていることを特徴とする。
【０００７】
本考案では、複数並べられたときに隣り合う梱包材の空間どうしを連通させる貫通孔が形成されているため、複数の梱包材のうち１つ以上の防錆剤収容部に防錆剤を収容することにより、この防錆剤が複数の被梱包部品に対して作用し、複数の被梱包部品が錆びることを防止することができる。
そして、梱包材毎に防錆剤を梱包する従来の梱包材と比べて、防錆剤を設置する箇所を少なくできるため、防錆剤の設置や管理を容易に行うことができる。
また、防錆剤の設置箇所を少なくすることができるとともに防錆剤を防錆剤収容部に設置することにより、防錆剤と被梱包部品との接触を防止することができる。
ここで、閉じられた空間とは、完全に閉じられた空間としてもよいし、略閉じられた空間としてもよい。例えば、約５割以上が閉じられている空間が好ましい。
また、梱包材が複数並べられたときに、それぞれの貫通孔が一直線状に配列され、並べられた複数の梱包材を貫通している形態としてもよいし、それぞれの貫通孔が部品収容部や防錆剤収容部を介して並べられた複数の梱包材を貫通している形態としてもよい。
【０００８】
また、本考案に係る梱包材では、前記防錆剤収容部は、前記部品収容部に収容された被梱包部品と離間する位置に形成されていることが好ましい。
このようにすることにより、被梱包部品と防錆剤とが接触することがなく、被梱包部品に錆が生じることを防ぐことができる。
【０００９】
また、本考案に係る梱包材では、前記防錆剤収容部は、前記貫通孔の軸と同一線上に形成されていることが好ましい。
このようにすることにより、複数の梱包材の被梱包部品に対して防錆剤が効率よく作用することができる。
【００１０】
また、本考案に係る梱包材では、前記空間内部には、複数の前記部品収容部が形成され、前記防錆剤収容部は、複数の前記部品収容部間に形成され、複数並べられたときに隣り合う前記梱包材の前記防錆剤収容部どうしを連通させるように前記貫通孔が形成されていることが好ましい。
このようにすることにより、複数の梱包材の被梱包部品に対して防錆剤が効率よく作用することができる。
【考案の効果】
【００１１】
本考案によれば、複数並べられたときに隣り合う梱包材の空間どうしを連通させる貫通孔が形成されているため、複数の梱包材のうち１つ以上の防錆剤収容部に防錆剤を収容することにより、この防錆剤が複数の被梱包部品に対して作用し、複数の被梱包部品が錆びることを防止することができる。
そして、梱包材毎に防錆剤を梱包する従来の梱包材と比べて、防錆剤を設置する箇所を少なくできるため、防錆剤の設置や管理を容易に行うことができる。
また、防錆剤の設置箇所を少なくすることができるとともに防錆剤を防錆剤収容部に設置することにより、防錆剤と被梱包部品との接触を防止することができる。
【図面の簡単な説明】
【００１２】
【図１】本考案の実施形態による梱包材の一例を示す上面図である。
【図２】図１のＡ−Ａ線断面図である。
【図３】上側梱包部材を説明する斜視図である。
【図４】下側梱包部材を説明する斜視図である。
【図５】上側梱包部材のほかの形態を説明する斜視図である。
【図６】下側梱包部材のほかの形態を説明する斜視図である。
【考案を実施するための形態】
【００１３】
以下、本考案の実施形態による梱包材について、図１乃至図４に基づいて説明する。
図１および図２に示すように、本実施形態による梱包材１は、内部に空間を有し、この空間に機械部品などの複数の被梱包部品１１を収容して梱包するもので、複数の被梱包部品１１の上側に配される一対の上側梱包部材２，２と、複数の被梱包部品１１の下側に配される一対の下側梱包部材３，３とを備え、上側梱包部材２と下側梱包部材３とで被梱包部品１１を上下から挟んで梱包するように構成されている。
【００１４】
本実施形態による梱包材１は、１つの上側梱包部材２と１つの下側梱包部材３で、４つの被梱包部品１１を梱包可能に構成されていて、この４つの被梱包部品１１を梱包した上側梱包部材２と下側梱包部材３とが水平に２つ並んでいる。
そして、この梱包材１は、被梱包部品１１を梱包した状態で、上下方向に段積み可能に構成されている。本実施形態では、図２に示すように、３つの梱包材１（１Ａ，１Ｂ，１Ｃ）が段積みされている。
【００１５】
図１乃至図３に示すように、上側梱包部材２には、下部側に被梱包部品１１の上部側が収容される凹部状の上側収容部（部品収容部）４が複数形成されている。なお、図１では、上側収容部４は、一点鎖線で示している。
また、上側梱包部材２には、上側収容部４と上下方向に重ならない位置に、上側梱包部材２を上下方向に貫通する第１貫通孔（貫通孔）５が形成されている。この第１貫通孔５は、上側収容部４と連通している。
【００１６】
図１、図２および図４に示すように、下側梱包部材３の上部側には、被梱包部品１１の下部側が収容される凹部状の下側収容部（部品収容部）６が複数形成されている。なお、図１では、下側収容部６は、一点鎖線で示している。
また、下側梱包部材３には、下側収容部６と上下方向に重ならない位置に、下側梱包部材３を上下方向に貫通する第２貫通孔（貫通孔）７が形成されている。この第２貫通孔７は、下側収容部６と連通している。
【００１７】
そして、図１および図２に示すように、上側梱包部材２と下側梱包部材３とが上下方向に重なると、第１貫通孔５と第２貫通孔７とは重なるように構成されている。
また、図２に示すように、この梱包材１が、上下方向に段積みされると、各梱包材１の第１貫通孔５および第２貫通孔７が上下方向に隣り合う梱包材１の第１貫通孔５および第２貫通孔７とが連通する。
これにより、梱包材１が段積みされると、各梱包材１の第１貫通孔５および第２貫通孔７によって、段積みされた梱包材１（１Ａ〜１Ｃ）を上下方向に貫通する貫通部８が形成される。
【００１８】
ここで、図１、図２および図４に示すように、第２貫通孔７は、下側梱包部材３に設けられたフランジ９に形成されていて、第１貫通孔５（図１、図２参照）と比べて断面形状（開口面積）が小さく形成されている。
そして、フランジ９は、上側梱包部材２の第１貫通孔５と上下方向に重なる位置に設けられている。
【００１９】
このフランジ９には、第２貫通孔７の断面形状よりも大きい防錆剤１２（図２参照）を設置可能に構成されている。また、フランジ９の上面には、第２貫通孔７の側方に上方に突出する壁部１０が設けられていて、防錆剤１２と被梱包部品１１とが接触することを防止している。このフランジ９と壁部１０とが形成する空間が防錆剤収容部を構成している。
なお、この壁部１０は、下側収容部６と第２貫通孔７との連通を遮断しない高さに形成されている。
本実施形態では、防錆剤１２として、例えば、シリカゲルなどの乾燥剤を使用している。
【００２０】
そして、段積みされた複数の梱包材１のうち、任意の１つの梱包材１の下側梱包部材３のフランジ９の上部に防錆剤１２を設置すると（本実施形態では、最下段に配された梱包材１Ａのフランジ９のみに設置されている）、この防錆剤１２は貫通部８に晒されていることになる。
そして、貫通部８は、各梱包材１の上側収容部４および下側収容部６と連通しているため、梱包材１に梱包された被梱包部品１１と接触する空気の湿気を吸収することができる。
【００２１】
次に、上述した梱包材の作用効果について説明する。
本実施形態による梱包材１によれば、段積みされた梱包材１の貫通部８に防錆剤１２を設置することができることにより、梱包材１に梱包された被梱包部品１１が錆びることを防止することができる。
また、段積みされた複数の梱包材１毎に防錆剤１２を設置することがなく、段積みされた複数の梱包材１に対して同一の防錆剤１２で対処するため、防錆剤１２の個数を少なくすることができて、防錆剤１２の設置や管理を容易に行うことができる。
【００２２】
また、下側梱包部材３には、フランジ９が設けられていることにより、防錆剤１２を任意の高さに設置することができる。
また、フランジ９の上面に壁部１０が設けられていることにより、防錆剤１２と被梱包部品１１とが離間するため、防錆剤１２と被梱包部品１１とが接触することによって被梱包部品１１が錆びることを防止することができる。
【００２３】
以上、本考案による梱包材の実施形態について説明したが、本考案は上記の実施形態に限定されるものではなく、その趣旨を逸脱しない範囲で適宜変更可能である。
例えば、上述した実施形態では、梱包材１は、上側梱包部材２と、下側梱包部材３とを備え、被梱包部品１１を上下から挟むようにして梱包する形態としているが、左右から被梱包部品１１を梱包する形態や、筒状などに形成されひとつの部材で被梱包部品１１を梱包する形態としてもよい。そして、このような場合は、梱包材１に、第１貫通孔５および第２貫通孔７に代わって、梱包材１を上下方向に貫通するとともに、梱包された被梱包部品１１が収容される内部と連通可能な貫通孔を形成し、この貫通孔の内部に防錆剤１２を設置可能な構成とすればよい。
【００２４】
また、上述した実施形態では、梱包材１は、上側梱包部材２に上側収容部４が形成され、下側梱包部材３に下側収容部６が形成されているが、上側梱包部材２に上側収容部４が形成されず、下側梱包部材３のみに下側収容部６が形成され、上側梱包部材２が板状に形成されて下側梱包部材３の蓋となる形態など、他の形態に形成されていてもよい。
また、上述した実施形態では、段積みされた最下段の梱包材１Ａのみに防錆剤１２のみに防錆剤１２を設置しているが、最上段である梱包材１Ｃや、中間に配された梱包材１Ｂに防錆剤１２を設置することも可能である。
また、上述した実施形態では、防錆剤１２を貫通部８の１ヶ所に設置しているが、貫通部８の複数ヶ所に防錆剤１２を設置してもよい。
【００２５】
また、上述した実施形態による梱包材１の他の形態として、図５および図６に示すように、上側梱包部材２（図５参照）および下側梱包部材３（図６参照）に、多孔状やスリット状の第１貫通孔５ａ，５ｂや第２貫通孔７ａ，７ｂが形成されていてもよい。図中の符号５ａは、多孔状の第１貫通孔を示し、符号７ａは、多孔状の第２貫通孔を示し、符号５ｂは、スリット状の第１貫通孔を示し，符号７ｂは、スリット状の第２貫通孔を示している。
なお、多孔状の貫通孔５ａ，５ｂおよびスリット状の貫通孔５ｂ，７ｂのいずれか一方を採用してもよいし、多孔状の貫通孔５ａ，７ａおよびスリット状の貫通孔５ｂ，７ｂを組み合わせて使用してもよい。
【００２６】
また、段積みされた梱包材１のうち最上段の梱包材１（本実施形態では１Ａ）の第１貫通孔５および、段積みされた梱包材１のうち最下段の梱包材１（本実施形態では１Ｃ）の第２貫通孔７が例えば、別途成形された蓋部材などで塞がれている形態としてもよい。これにより、防錆剤の効果を確実に維持することができる。
また、上述した実施形態では、梱包材１は、上下方向に段積み可能に構成されているが、上下方向に代わって、例えば、水平方向に複数並べて使用する形態としてもよい。
【００２７】
また、上述した実施形態では、梱包材１は、上側梱包部材２と下側梱包部材３とを備え、これらの上側梱包部材２と下側梱包部材３とが閉じた状態で被梱包部品１１を梱包しているが、例えば、上面が開口したトレイ状や箱状の梱包材１とし、段積みされると、上側に配された梱包材１の底部が下側に配された梱包材１の上面の開口を塞ぐようにして被梱包部材１１が収容される部品収容部を構成するようにしてもよい。
【符号の説明】
【００２８】
１，１Ａ，１Ｂ，１Ｃ  梱包材
２  上側梱包部材
３  下側梱包部材
４  上側収容部（部品収容部）
５  第１貫通孔（貫通孔）
６  下側収容部（部品収容部）
７  第２貫通孔（貫通孔）
８  貫通部
９  フランジ（保持部）
１０  壁部
１１  被梱包部品
１２  防錆剤
【図１】
0003171033.tif 000003
【図２】
0003171033.tif 000004
【図３】
0003171033.tif 000005
【図４】
0003171033.tif 000006
【図５】
0003171033.tif 000007
【図６】
0003171033.tif 000008